【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
発光材料と、
下記一般式（１）で表される構成連鎖を主鎖に有する高分子化合物と、
を含む組成物。
−［−（Ｙ）ｎ−Ｚ−］ｍ−        （１）
［式中、
Ｙは、下記一般式（Ｙ−１）又は（Ｙ−２）で表される構造から水素原子を２個除いた２価の基を示す。
Ｚは、下記一般式（Ｚ−９）、（Ｚ−１１）、（Ｚ−１２）、（Ｚ−１３）、（Ｚ−１４）、（Ｚ−１５）、（Ｚ−１６）、（Ｚ−１７）、（Ｚ−１８）、（Ｚ−１９）又は（Ｚ−２０）で表される２価の基を示す。
ｍは４〜１００００の整数、ｎは１〜３の整数を示す。
複数あるＹ、Ｚ及びｎは、各々、同一であっても異なっていてもよい。
なお、Ｙ及びＺが有する水素原子は、Ｒ’で置換されていてもよく、Ｒ’は、カルボキシル基、ニトロ基、シアノ基、アルキル基、アルコキシ基、アルキルチオ基、アリール基、アリールオキシ基、アリールチオ基、アルケニル基、アルキニル基、アミノ基、シリル基、アシル基、アシルオキシ基、イミン残基、アミド化合物残基、酸イミド残基、１価の複素環基及び１価の複素環チオ基からなる群より選ばれる官能基、又はハロゲン原子を示す。Ｒ’が複数ある場合、それらは同一であっても異なっていてもよく、複数のＲ’は互いに結合して環構造を形成していてもよい。前記官能基が有する水素原子は置換基で更に置換されていてもよい。］
【化１】
2012144722.tif 000001
【化２】
2012144722.tif 000002
［式中、
Ｘは、−ＣＨ＝又は−Ｎ＝を示す。複数あるＸは、同一であっても異なっていてもよい。但し、Ｘとしての−Ｎ＝の数は、０〜２である。
ＲＸは、カルボキシル基、ニトロ基、シアノ基、アルキル基、アルコキシ基、アルキルチオ基、アリール基、アリールオキシ基、アリールチオ基、アルケニル基、アルキニル基、アミノ基、シリル基、アシル基、アシルオキシ基、イミン残基、アミド化合物残基、酸イミド残基、１価の複素環基及び１価の複素環チオ基からなる群より選ばれる官能基、又は水素原子若しくはハロゲン原子を示す。複数あるＲＸは、同一であっても異なっていてもよく、複数のＲＸは互いに結合して環構造を形成していてもよい。前記官能基が有する水素原子は置換基で更に置換されていてもよい。
Ｒ”は、水素原子、アルキル基、アリール基又は１価の複素環基を示す。複数あるＲ”は、同一であっても異なっていてもよい。］
【請求項２】
前記発光材料が、高分子発光材料である請求項１に記載の組成物。
【請求項３】
前記発光材料が、下記一般式（Ａ）、（Ｂ）又は（Ｃ）で表される構成単位の少なくとも１種を有する高分子発光材料である、請求項２に記載の組成物。
【化３】
2012144722.tif 000003
［式中、
Ａｒ１及びＡｒ５は、それぞれ独立に、アリーレン基、２価の複素環基又は金属錯体構造を有する２価の基を示す。Ａｒ２、Ａｒ３及びＡｒ４は、それぞれ独立に、アリーレン基又は２価の複素環基を示す。
Ｒ１及びＲ２は、それぞれ独立に、水素原子、アルキル基、アリール基又は１価の複素環基を示す。Ｘ１は−ＣＲ３＝ＣＲ４−又は−Ｃ≡Ｃ−を示す。Ｒ３及びＲ４は、それぞれ独立に、水素原子、カルボキシル基、置換カルボキシル基、シアノ基、アルキル基、アリール基又は１価の複素環基を示す。
ａは、０又は１である。］
【請求項４】
前記発光材料が、前記一般式（Ｂ）で表される構成単位を有する請求項３に記載の組成物。
【請求項５】
前記Ｙが、下記一般式（Ｙ−３）、（Ｙ−４）、（Ｙ−５）又は（Ｙ−６）で表される２価の基である、請求項１〜４のいずれか一項に記載の組成物。
【化４】
2012144722.tif 000004
［式中、Ｒ”は、水素原子、アルキル基、アリール基又は１価の複素環基を示す。複数あるＲ”は、同一であっても異なっていてもよい。］
【請求項６】
前記Ｚが、前記一般式（Ｚ−１１）、（Ｚ−１５）又は（Ｚ−１７）で表される２価の基である、請求項１〜５のいずれか一項に記載の組成物。
【請求項７】
前記高分子化合物１質量部に対して、前記発光材料を０．１〜１００質量部含む、請求項１〜６のいずれか一項に記載の組成物。
【請求項８】
前記高分子化合物が、縮合重合で合成されるものであり、
高分子化合物には、前記Ｙで表される基及び前記Ｚで表される基が縮合重合により導入されており、
Ｙで表される基及びＺで表される基とは相違する任意追加基が縮合重合により導入されていてもよく、
高分子化合物における、Ｙ、Ｚ及び任意追加基のモル数をそれぞれＮＹ、ＮＺ及びＮＭとしたときに、ＮＹ、ＮＺ及びＮＭが下記式（２）を満たす、請求項１〜７のいずれか一項に記載の組成物。
３０≦ＮＹ×１００／（ＮＹ＋ＮＺ＋ＮＭ）≦７５      （２）
【請求項９】
前記高分子化合物及び前記発光材料が、それぞれ縮合重合で合成されるものであり、
高分子化合物には、前記Ｙで表される基及び前記Ｚで表される基が縮合重合により導入されており、Ｙで表される基及びＺで表される基とは相違する任意追加基が縮合重合により導入されていてもよく、
高分子化合物における、Ｙ、Ｚ及び任意追加基のモル数をそれぞれＮＹ、ＮＺ及びＮＭとし、発光材料における、縮合重合により導入される発光材料を構成する化学構造のモル数をＮＬとしたときに、ＮＹ、ＮＺ、ＮＭ及びＮＬが下記式（３）を満たす、請求項１〜８のいずれか一項に記載の組成物。
０．５≦ＮＹ×１００／（ＮＹ＋ＮＺ＋ＮＭ＋ＮＬ）≦３７．５      （３）
【請求項１０】
前記高分子化合物の主鎖が前記一般式（１）で表される構成連鎖のみからなる、請求項１〜９のいずれか一項に記載の組成物。
【請求項１１】
下記一般式（１）で表される構成連鎖を主鎖に有し、かつ、発光材料を構成する化学構造を主鎖又は側鎖に有する、ブロック型共重合体。
−［−（Ｙ）ｎ−Ｚ−］ｍ−        （１）
［式中、
Ｙは、下記一般式（Ｙ−１）又は（Ｙ−２）で表される構造から水素原子を２個除いた２価の基を示す。
Ｚは、下記一般式（Ｚ−９）、（Ｚ−１１）、（Ｚ−１２）、（Ｚ−１３）、（Ｚ−１４）、（Ｚ−１５）、（Ｚ−１６）、（Ｚ−１７）、（Ｚ−１８）、（Ｚ−１９）又は（Ｚ−２０）で表される２価の基を示す。
ｍは４〜１００００の整数、ｎは１〜３の整数を示す。
複数あるＹ、Ｚ及びｎは、各々、同一であっても異なっていてもよい。
Ｙ及びＺが有する水素原子は、Ｒ’で置換されていてもよく、Ｒ’は、カルボキシル基、ニトロ基、シアノ基、アルキル基、アルコキシ基、アルキルチオ基、アリール基、アリールオキシ基、アリールチオ基、アルケニル基、アルキニル基、アミノ基、シリル基、アシル基、アシルオキシ基、イミン残基、アミド化合物残基、酸イミド残基、１価の複素環基及び１価の複素環チオ基からなる群より選ばれる官能基、又はハロゲン原子を示す。Ｒ’が複数ある場合、それらは同一であっても異なっていてもよく、複数のＲ’が互いに結合して環構造を形成していてもよい。前記官能基が有する水素原子は置換基で更に置換されていてもよい。］
【化５】
2012144722.tif 000005
【化６】
2012144722.tif 000006
［式中、Ｘは、−ＣＨ＝又は−Ｎ＝を示す。複数あるＸは、同一であっても異なっていてもよい。但し、Ｘとしての−Ｎ＝の数は、０〜２である。
ＲＸは、カルボキシル基、ニトロ基、シアノ基、アルキル基、アルコキシ基、アルキルチオ基、アリール基、アリールオキシ基、アリールチオ基、アルケニル基、アルキニル基、アミノ基、シリル基、アシル基、アシルオキシ基、イミン残基、アミド化合物残基、酸イミド残基、１価の複素環基及び１価の複素環チオ基からなる群より選ばれる官能基、又は水素原子若しくはハロゲン原子を示す。複数あるＲＸは、同一であっても異なっていてもよく、複数のＲＸは互いに結合して環構造を形成していてもよい。前記官能基が有する水素原子は置換基で更に置換されていてもよい。
Ｒ”は、水素原子、アルキル基、アリール基又は１価の複素環基を示す。複数あるＲ”は、同一であっても異なっていてもよい。］
【請求項１２】
前記発光材料を構成する化学構造が、下記一般式（Ａ）、（Ｂ）又は（Ｃ）で表される構成単位の少なくとも１種である、請求項１１に記載のブロック型共重合体。
【化７】
2012144722.tif 000007
［式中、
Ａｒ１及びＡｒ５は、それぞれ独立に、アリーレン基、２価の複素環基又は金属錯体構造を有する２価の基を示す。Ａｒ２、Ａｒ３及びＡｒ４は、それぞれ独立に、アリーレン基又は２価の複素環基を示す。
Ｒ１及びＲ２は、それぞれ独立に、水素原子、アルキル基、アリール基又は１価の複素環基を示す。Ｘ１は、−ＣＲ３＝ＣＲ４−又は−Ｃ≡Ｃ−を示す。Ｒ３及びＲ４は、それぞれ独立に、水素原子、カルボキシル基、置換カルボキシル基、シアノ基、アルキル基、アリール基又は１価の複素環基を示す。
ａは、０又は１である。］
【請求項１３】
前記発光材料を構成する化学構造が、前記一般式（Ｂ）で表される構成単位である、請求項１２に記載のブロック型共重合体。
【請求項１４】
前記Ｙが、下記一般式（Ｙ−３）、（Ｙ−４）、（Ｙ−５）又は（Ｙ−６）で表される２価の基である、請求項１１〜１３のいずれか一項に記載のブロック型共重合体。
【化８】
2012144722.tif 000008
［式中、Ｒ”は、水素原子、アルキル基、アリール基又は１価の複素環基を示す。複数あるＲ”は、同一であっても異なっていてもよい。］
【請求項１５】
前記Ｚが、前記一般式（Ｚ−１１）、（Ｚ−１５）又は（Ｚ−１７）で表される２価の基である、請求項１１〜１４のいずれか一項に記載のブロック型共重合体。
【請求項１６】
前記一般式（１）で表される構成連鎖を１〜３０有する、請求項１１〜１５のいずれか一項に記載のブロック型共重合体。
【請求項１７】
前記ブロック型共重合体は、縮合重合で合成されるものであり、
ブロック型共重合体には、前記Ｙで表される基、前記Ｚで表される基及び前記発光材料を構成する化学構造が、縮合重合により導入されており、
Ｙで表される基、Ｚで表される基及び発光材料を構成する化学構造とは相違する任意追加基が縮合重合により導入されていてもよく、
ブロック型共重合体における、Ｙ、Ｚ、任意追加基及び発光材料を構成する化学構造のモル数を、それぞれＮＹ、ＮＺ、ＮＭ及びＮＫしたときに、ＮＹ、ＮＺ、ＮＭ及びＮＫが下記式（４）を満たす、請求項１１〜１６のいずれか一項に記載のブロック型共重合体。
２≦ＮＹ×１００／（ＮＹ＋ＮＺ＋ＮＫ＋ＮＭ）＜４０      （４）
【請求項１８】
前記発光材料を構成する化学構造と前記一般式（１）で表される構成連鎖のみからなる、請求項１１〜１７のいずれか一項に記載のブロック型共重合体。
【請求項１９】
一対の電極と、該一対の電極の間に設けられた有機層を有し、該有機層が、請求項１〜１０のいずれか一項に記載の組成物を用いてなる、有機エレクトロルミネッセンス素子。
【請求項２０】
一対の電極と、該一対の電極の間に設けられた有機層を有し、該有機層が、請求項１１〜１８のいずれか一項に記載のブロック型共重合体を含む、有機エレクトロルミネッセンス素子。
【請求項２１】
請求項１９又は２０に記載の有機エレクトロルミネッセンス素子を有する面状光源。
【請求項２２】
請求項１９又は２０に記載の有機エレクトロルミネッセンス素子を有する表示装置。